(57)【要約】【課題】出入口が開いたままとなってしまうことを抑制することができるとともに、出入口を通行中の通行者に不快感を与えてしまうことを抑制することができる入退室管理装置を得る。【解決手段】出入口の状態が開状態であることを検出する開状態検出装置３２と、開状態検出装置３２の検出結果を用いて、出入口の状態が開状態である戸開時間を計測する計時装置４３と、出入口の許容開放時間として通常時許容開放時間と閑散時許容開放時間とが切換可能に設定され、計時装置４３により計測された戸開時間が許容開放時間を越える場合に、警報装置本体１２に警報させる警報装置用制御装置４４と、警報装置用制御装置４４に設定される許容開放時間を通常時許容開放時間と閑散時許容開放時間との間で切り換える設定時間変更装置４６とを備えている。【選択図】図１
2013221311.tif 000002
【特許請求の範囲】
【請求項１】
部屋の出入口を開閉する戸の施開錠を行う電気錠と、前記出入口を通行する通行者の認証情報が入力されるカードリーダとを備え、前記カードリーダに入力された前記認証情報を用いて前記通行者の通行の可否を判定し、前記通行者の通行が許可されている場合に前記電気錠が前記戸を開錠する入退室管理装置であって、
前記出入口の状態が開状態であることを検出する開状態検出装置と、
前記開状態検出装置の検出結果を用いて、前記出入口の状態が開状態である戸開時間を計測する計時装置と、
前記出入口の許容開放時間として第１の許容開放時間と前記第１の許容開放時間よりも短い第２の許容開放時間とが切換可能に設定され、前記計時装置により計測された前記戸開時間が前記許容開放時間を越える場合に警報する警報装置と、
前記警報装置に設定される前記許容開放時間を前記第１の許容開放時間と前記第２の許容開放時間との間で切り換える設定時間変更装置と
を備えたことを特徴とする入退室管理装置。
【請求項２】
前記部屋の在室人数を数える在室者計数装置をさらに備え、
前記設定時間変更装置は、前記在室人数に対応して、前記警報装置に設定される前記許容開放時間を前記第１の許容開放時間と前記第２の許容開放時間との間で切り換えることを特徴とする請求項１に記載の入退室管理装置。
【請求項３】
時間帯に対応して前記許容開放時間を切り換えるスケジュールを記憶するスケジュール管理装置をさらに備え、
前記設定時間変更装置は、現在時刻が含まれる前記時間帯に対応して、前記警報装置に設定される前記許容開放時間を前記第１の許容開放時間と前記第２の許容開放時間との間で切り換えることを特徴とする請求項１または請求項２に記載の入退室管理装置。
【請求項４】
前記出入口を通行する前記通行者の単位時間当りの通行量である通行率を計測する通行率計測装置をさらに備え、
前記設定時間変更装置は、前記通行率に対応して、前記警報装置に設定される前記許容開放時間を前記第１の許容開放時間と前記第２の許容開放時間との間で切り換えることを特徴とする請求項１ないし請求項３の何れか１項に記載の入退室管理装置。
【請求項５】
操作されることにより、前記許容開放時間を切り換える切換信号を前記設定時間変更装置に送信する設定時間変更操作装置をさらに備え、
前記設定時間変更装置は、前記切換信号に対応して、前記警報装置に設定される前記許容開放時間を前記第１の許容開放時間と前記第２の許容開放時間との間で切り換えることを特徴とする請求項１ないし請求項４の何れか１項に記載の入退室管理装置。
【請求項６】
部屋の出入口を通行する通行者の認証情報を用いて前記通行者の通行の可否を判定し、前記通行者の通行が許可されている場合に電気錠が戸を開錠する入退室管理方法であって、
前記出入口の状態が開状態であることを検出する開状態検出工程と、
前記開状態検出工程の検出結果を用いて、前記出入口の状態が開状態である戸開時間を計測する計時工程と、
前記出入口の許容開放時間として第１の許容開放時間と前記第１の許容開放時間よりも短い第２の許容開放時間とが切換可能に設定された警報装置が、前記計時工程により計測された前記戸開時間が前記許容開放時間を越える場合に警報する警報装置作動工程と、
前記警報装置に設定される前記許容開放時間を前記第１の許容開放時間と前記第２の許容開放時間との間で切り換える設定時間変更工程と
を備えたことを特徴とする入退室管理方法。
【発明の詳細な説明】
【技術分野】
【０００１】
この発明は、カードリーダに入力された認証情報を用いて通行者の通行の可否を判定し、通行者の通行が許可されている場合に電気錠が戸を開錠する入退室管理装置および入退室管理方法に関する。
【背景技術】
【０００２】
従来、部屋の出入口を開閉する戸の施開錠を行う電気錠と、出入口を通行する通行者の認証情報が入力されるカードリーダとを備え、カードリーダに入力された認証情報を用いて通行者の通行の可否を判定し、その通行者の通行が許可されている場合に、電気錠が戸を開錠する入退室管理装置であって、出入口の状態が開状態であることを検出する開状態検出装置と、開状態検出装置の検出結果を用いて、出入口の状態が開状態である戸開時間を計測する計時装置と、計時装置により計測された戸開時間が出入口の許容開放時間を越える場合に警報する警報装置とをさらに備えた入退室管理装置が知られている（例えば、特許文献１参照）。
【先行技術文献】
【特許文献】
【０００３】
【特許文献１】特開２０１１−５２３８７号公報
【発明の概要】
【発明が解決しようとする課題】
【０００４】
しかしながら、許容開放時間として、多数の通行者が連続して出入口を通行できるような長い時間が設定されると、夜間のように連続して出入口を通行する通行者の数が少ない場合に、通行者が出入口を閉め忘れると、出入口を通行した通行者が出入口から遠くに離れてしまった後に、警報装置が警報する。その結果、出入口を通行した通行者が警報装置の警報に気づきにくくなり、出入口が開いたままとなってしまうおそれがあるという問題点があった。一方、許容開放時間として、短い時間が設定されると、例えば、荷物の搬入・搬出を行う場合に、長時間に渡って出入口が開放されるので、荷物の搬入・搬出を行っている途中で警報装置が警報してしまう。これにより、出入口を通行中の通行者に不快感を与えてしまうという問題点があった。
【０００５】
この発明は、出入口が開いたままとなってしまうことを抑制することができるとともに、出入口を通行中の通行者に不快感を与えてしまうことを抑制することができる入退室管理装置および入退室管理方法を提供するものである。
【課題を解決するための手段】
【０００６】
この発明に係る入退室管理装置は、部屋の出入口を開閉する戸の施開錠を行う電気錠と、前記出入口を通行する通行者の認証情報が入力されるカードリーダとを備え、前記カードリーダに入力された前記認証情報を用いて前記通行者の通行の可否を判定し、前記通行者の通行が許可されている場合に前記電気錠が前記戸を開錠する入退室管理装置であって、前記出入口の状態が開状態であることを検出する開状態検出装置と、前記開状態検出装置の検出結果を用いて、前記出入口の状態が開状態である戸開時間を計測する計時装置と、前記出入口の許容開放時間として第１の許容開放時間と前記第１の許容開放時間よりも短い第２の許容開放時間とが切換可能に設定され、前記計時装置により計測された前記戸開時間が前記許容開放時間を越える場合に警報する警報装置と、前記警報装置に設定される前記許容開放時間を前記第１の許容開放時間と前記第２の許容開放時間との間で切り換える設定時間変更装置とを備えている。
【０００７】
この発明に係る入退室管理方法は、部屋の出入口を通行する通行者の認証情報を用いて前記通行者の通行の可否を判定し、前記通行者の通行が許可されている場合に電気錠が戸を開錠する入退室管理方法であって、前記出入口の状態が開状態であることを検出する開状態検出工程と、前記開状態検出工程の検出結果を用いて、前記出入口の状態が開状態である戸開時間を計測する計時工程と、前記出入口の許容開放時間として第１の許容開放時間と前記第１の許容開放時間よりも短い第２の許容開放時間とが切換可能に設定された警報装置が、前記計時工程により計測された前記戸開時間が前記許容開放時間を越える場合に警報する警報装置作動工程と、前記警報装置に設定される前記許容開放時間を前記第１の許容開放時間と前記第２の許容開放時間との間で切り換える設定時間変更工程とを備えている。
【発明の効果】
【０００８】
この発明に係る入退室管理装置によれば、部屋の出入口の状態が開状態であることを検出する開状態検出装置の検出結果を用いて、出入口の状態が開状態である戸開時間を計時装置が計測し、出入口の許容開放時間として第１の許容開放時間とこの第１の許容開放時間よりも短い第２の許容開放時間とが切換可能に設定された警報装置が、計時装置により計測された戸開時間が許容開放時間を越える場合に警報し、設定時間変更装置が、警報装置に設定される許容開放時間を第１の許容開放時間と第２の許容開放時間との間で切り換えるので、夜間のように連続して出入口を通行する通行者の数が少ない場合には、許容開放時間として第２の許容開放時間を設定することにより、出入口を通行する通行者に注意を喚起して、出入口が開いたままとなってしまうことを抑制することができ、また、荷物の搬入・搬出を行う場合には、許容開放時間として第１の許容開放時間を設定することにより、出入口を通行中の通行者に不快感を与えてしまうことを抑制することができる。
【０００９】
この発明に係る入退室管理方法によれば、部屋の出入口の状態が開状態であることを検出し、その検出結果を用いて、出入口の状態が開状態である戸開時間を計測し、出入口の許容開放時間として第１の許容開放時間とこの第１の許容開放時間よりも短い第２の許容開放時間とが切換可能に設定された警報装置が、戸開時間が許容開放時間を越える場合に警報し、警報装置に設定される許容開放時間を第１の許容開放時間と第２の許容開放時間との間で切り換えるので、夜間のように連続して出入口を通行する通行者の数が少ない場合には、許容開放時間として第２の許容開放時間を設定することにより、出入口を通行する通行者に注意を喚起して、出入口が開いたままとなってしまうことを抑制することができ、また、荷物の搬入・搬出を行う場合には、許容開放時間として第１の許容開放時間を設定することにより、出入口を通行中の通行者に不快感を与えてしまうことを抑制することができる。
【図面の簡単な説明】
【００１０】
【図１】この発明の実施の形態１に係る入退室管理装置を示すブロック図である。
【図２】図１の電気錠装置およびコントローラを示すブロック図である。
【図３】図１の入退室管理装置の動作を示すフローチャートである。
【図４】この発明の実施の形態２に係る入退室管理装置の要部を示すブロック図である。
【図５】この発明の実施の形態３に係る入退室管理装置の要部を示すブロック図である。
【図６】この発明の実施の形態４に係る入退室管理装置の要部を示すブロック図である。
【発明を実施するための形態】
【００１１】
以下、この発明の各実施の形態を図に基づいて説明するが、各図において、同一または相当の部材、部位については、同一符号を付して説明する。
【００１２】
実施の形態１．
図１はこの発明の実施の形態１に係る入退室管理装置を示すブロック図である。図において、入退室管理装置は、部屋の外側に設けられる入室用カードリーダ１と、部屋の内側に設けられる退室用カードリーダ２と、部屋の出入口を開閉する戸（図示せず）を施開錠する電気錠３と、電気錠３を制御するコントローラ４と、コントローラ４との間で通信を行う中央管理装置５とを備えている。図１では、１つの部屋に設けられた、入室用カードリーダ１、退室用カードリーダ２および電気錠３を示しているが、複数の部屋のそれぞれに、入室用カードリーダ１、退室用カードリーダ２および電気錠３が設けられており、それぞれの入室用カードリーダ１、退室用カードリーダ２および電気錠３が、コントローラ４に制御される。また、図１では１つのコントローラ４を示しているが、コントローラ４は、複数の階のそれぞれに設けられており、複数のコントローラ４のそれぞれが、中央管理装置５との間で通信が可能となっている。
【００１３】
図２は図１の入室用カードリーダ１、退室用カードリーダ２、電気錠３およびコントローラ４を示すブロック図である。図において、入室用カードリーダ１は、入室しようとする通行者の認証カード（図示せず）からその通行者の認証情報を取得する認証情報読取装置１１と、部屋の外側に向かって警報音を発することにより警報する警報装置本体１２とを有している。
【００１４】
退室用カードリーダ２は、退室しようとする通行者の認証カード（図示せず）からその通行者の認証情報を取得する認証情報読取装置２１と、部屋の内側に向かって警報音を発することにより警報する警報装置本体２２とを有している。
【００１５】
電気錠３は、戸を施錠する施錠位置と戸が開錠される開錠位置との間で変位する電気錠本体３１と、出入口の状態が開状態であることを検出する開状態検出装置３２とを有している。
【００１６】
コントローラ４は、認証情報読取装置１１および認証情報読取装置２１から通行者の認証情報を取得し、その通行者が出入口の通行を許可されているか否かを判定する照合装置４１と、照合装置４１の照合結果に基づいて、電気錠本体３１を制御する電気錠制御装置４２と、開状態検出装置３２の検出結果に基づいて、出入口の状態が開状態である戸開時間を計測する計時装置４３とを備えている。
【００１７】
また、コントローラ４は、出入口の許容開放時間が設定され警報装置本体１２および警報装置本体２２を制御する警報装置用制御装置４４と、部屋の在室人数を数える在室者計数装置４５と、警報装置用制御装置４４に設定されている許容開放時間を通常時許容開放時間（第１の許容開放時間）と閑散時許容開放時間（第２の許容開放時間）との間で切り換える設定時間変更装置４６とを有している。
【００１８】
警報装置本体１２、警報装置本体２２および警報装置用制御装置４４から警報装置が構成されている。
【００１９】
照合装置４１は、出入口の通行が許可されている通行者の認証情報を予め記憶している。照合装置４１は、予め記憶している認証情報と、新たに取得した認証情報とを比較することにより、通行者が出入口の通行を許可されているか否かを判定する。照合装置４１は、通行者が出入口の通行を許可されていると判定する場合に、戸を開錠することを示す開錠信号を電気錠制御装置４２に送信する。
【００２０】
また、照合装置４１は、認証情報読取装置１１から取得した認証情報を用いて通行者が出入口の通行を許可されていると判定する場合に、在室人数が１人だけ増加することを示す増加信号を在室者計数装置４５に送信する。また、照合装置４１は、認証情報読取装置２１から取得した認証情報を用いて通行者が出入口の通行を許可されていると判定する場合に、在室人数が１人だけ減少することを示す減少信号を在室者計数装置４５に送信する。
【００２１】
電気錠制御装置４２は、照合装置４１から開錠信号を受信することにより、予め設定された時間だけ電気錠本体３１を施錠位置から開錠位置に変位させる。電気錠制御装置４２は、電気錠本体３１を開錠位置に変位させた後、予め設定された時間が経過すると、電気錠本体３１を再び施錠位置に変位させる。
【００２２】
計時装置４３は、タイマーを有しており、出入口の状態が開状態であると開状態検出装置３２が連続して検出する戸開時間を計測する。出入口の状態が閉状態であると開状態検出装置３２が検出すると、計時装置４３が計測する戸開時間は、リセットされる。
【００２３】
警報装置用制御装置４４は、計時装置４３が計測する戸開時間が許容開放時間を越えた場合に、対応する警報装置本体１２または警報装置本体２２を警報させる。警報装置用制御装置４４に設定される許容開放時間とは、出入口の状態が開状態として許容される時間である。警報装置用制御装置４４に許容開放時間として設定される通常時許容開放時間は、３０秒となっている。警報装置用制御装置４４に許容開放時間として設定される閑散時許容開放時間は、通常時許容開放時間よりも短い５秒となっている。なお、通常時許容開放時間および閑散時許容開放時間は、これらに限らず、閑散時許容開放時間が通常時許容開放時間よりも短い時間であれば、通常時許容開放時間および閑散時許容開放時間のそれぞれは、任意の時間に設定可能である。
【００２４】
在室者計数装置４５は、照合装置４１から受信する増加信号および減少信号に基づいて、部屋の在室人数を数える。在室者計数装置４５は、在室人数を示す在室人数情報を設定時間変更装置４６に送信する。
【００２５】
設定時間変更装置４６には、許容開放時間を通常時許容開放時間と閑散時許容開放時間との間で切り換えるための基準となる基準人数が設定されている。設定時間変更装置４６は、在室者計数装置４５により数えられた在室人数が基準在室人数以上の場合には、警報装置用制御装置４４の許容開放時間として通常時許容開放時間を設定し、在室者計数装置４５により数えられた在室人数が基準在室人数未満の場合には、警報装置用制御装置４４の許容開放時間として閑散時許容開放時間を設定する。つまり、設定時間変更装置４６は、在室者計数装置４５の在室人数に対応して、警報装置に設定されている許容開放時間を通常時許容開放時間と閑散時許容開放時間との間で切り換える。設定時間変更装置４６には、出入口が閉状態であると開状態検出装置３２が検出する場合に、出入口が閉状態であることを示す信号が計時装置４３から入力される。
【００２６】
次に、入退室管理装置の動作について説明する。ここでは、通行者が部屋に入る場合について説明する。図３は図１の入退室管理装置の動作を示すフローチャートである。まず、認証情報読取装置１１が認証情報を取得すると（ステップＳ１０１）、照合装置４１は、認証情報読取装置１１が取得した認証情報を用いて、通行者が出入口の通行を許可されているか否かを判定する（通行可否判定工程）（ステップＳ１０２）。ステップＳ１０２で、通行者が出入口の通行を許可されていないと照合装置４１が判定すると、そのまま、入退室管理装置の動作が終了する。
【００２７】
一方、ステップＳ１０２で、通行者が出入口の通行を許可されていると照合装置４１が判定すると、電気錠制御装置４２は、電気錠本体３１を施錠位置から開錠位置に変位させて、戸を開錠する（ステップＳ１０３）。その後、在室者計数装置４５は、在室人数を１人増加させた在室人数情報を設定時間変更装置４６に送信し、設定時間変更装置４６は、在室者計数装置４５により数えられた在室人数が基準人数以上であるか否かを判定する（ステップＳ１０４）。
【００２８】
ステップＳ１０４で、在室人数が基準人数以上であると設定時間変更装置４６が判定する場合には、設定時間変更装置４６は、許容開放時間に通常時許容開放時間を設定する（設定時間変更工程）（ステップＳ１０５）。一方、ステップＳ１０４で、在室人数が基準人数以上ではないと設定時間変更装置４６が判定する場合には、設定時間変更装置４６は、許容開放時間に閑散時許容開放時間を設定する（設定時間変更工程）（ステップＳ１０６）。
【００２９】
その後、通行者が戸を移動させることにより出入口が開くと、開状態検出装置３２が出入口の状態が開状態であることを検出し（開状態検出工程）（ステップＳ１０７）、計時装置４３は、開状態検出装置３２の検出結果を用いて、戸開時間を計測する（計時工程）（ステップＳ１０８）。
【００３０】
その後、警報装置用制御装置４４は、計時装置４３が計測する戸開時間が許容開放時間を越えたか否かを判定する（ステップＳ１０９）。ステップＳ１０９で、戸開時間が許容開放時間を超えたと警報装置用制御装置４４が判定すると、警報装置用制御装置４４は、警報装置本体１２を警報させ（警報装置作動工程）（ステップＳ１１０）、その後、計時装置４３は、出入口の状態が閉状態であるか否かを判定する（ステップＳ１１１）。ステップＳ１１１で、出入口の状態が閉状態ではないと計時装置４３が判定すると、ステップＳ１１０に戻る。一方、ステップＳ１１１で、出入口の状態が閉状態であると計時装置４３が判定すると、入退室管理装置の動作が終了する。
【００３１】
一方、ステップＳ１０９で、計時装置４３が計測する戸開時間が許容開放時間を越えていないと警報装置用制御装置４４が判定する場合には、計時装置４３は、出入口の状態が閉状態であるか否かを判定する（ステップＳ１１２）。ステップＳ１１２で、出入口の状態が閉状態ではないと計時装置４３が判定すると、ステップＳ１０８に戻る。一方、ステップＳ１１２で、出入口の状態が閉状態であると計時装置４３が判定すると、入退室管理装置の動作が終了する。
【００３２】
以上説明したように、この発明の実施の形態１に係る入退室管理装置によれば、部屋の出入口の状態が開状態であることを検出する開状態検出装置３２の検出結果を用いて、出入口の状態が開状態である戸開時間を計時装置４３が計測し、出入口の許容開放時間として通常時許容開放時間とこの通常時許容開放時間よりも短い閑散時許容開放時間とが切換可能に設定された警報装置が、計時装置４３により計測された戸開時間が許容開放時間を越える場合に警報し、設定時間変更装置４６が、警報装置に設定されている許容開放時間を通常時許容開放時間と閑散時許容開放時間との間で切り換えるので、夜間のように連続して出入口を通行する通行者の数が少ない場合には、許容開放時間として閑散時許容開放時間を設定することにより、出入口を通行する通行者に注意を喚起して、出入口が開いたままとなってしまうことを抑制することができ、また、昼間のように連続して出入口を通行する通行者の数が多い場合には、許容開放時間として通常時許容開放時間を設定することにより、出入口を通行中の通行者に不快感を与えてしまうことを抑制することができる。
【００３３】
また、この入退室管理装置は、部屋の在室人数を数える在室者計数装置４５を備え、設定時間変更装置４６は、在室者計数装置４５の在室人数に対応して、警報装置に設定されている許容開放時間を通常時許容開放時間と閑散時許容開放時間との間で切り換えるので、在室人数が少ない場合には、許容開放時間として閑散時許容開放時間を設定することにより、出入口を通行する通行者に注意を喚起して、出入口が開いたままとなってしまうことを抑制することができ、また、在室人数が多い場合には、許容開放時間として通常時許容開放時間を設定することにより、出入口を通行中の通行者に不快感を与えてしまうことを抑制することができる。
【００３４】
また、この発明の実施の形態１に係る入退室管理方法によれば、部屋の出入口の状態が開状態であることを検出し、その検出結果を用いて、出入口の状態が開状態である戸開時間を計測し、出入口の許容開放時間として通常時許容開放時間とこの通常時許容開放時間よりも短い閑散時許容開放時間とが切換可能に設定された警報装置が、戸開時間が許容開放時間を越える場合に警報し、警報装置に設定されている許容開放時間を通常時許容開放時間と閑散時許容開放時間との間で切り換えるので、夜間のように連続して出入口を通行する通行者の数が少ない場合には、許容開放時間として閑散時許容開放時間を設定することにより、出入口を通行する通行者に注意を喚起して、出入口が開いたままとなってしまうことを抑制することができ、また、昼間のように連続して出入口を通行する通行者の数が多い場合には、許容開放時間として通常時許容開放時間を設定することにより、出入口を通行中の通行者に不快感を与えてしまうことを抑制することができる。
【００３５】
実施の形態２．
図４はこの発明の実施の形態２に係る入退室管理装置の要部を示すブロック図である。図において、コントローラ４は、実施の形態１に記載の在室者計数装置４５を有さずに、時間帯に対応して許容開放時間を切り換えるためのスケジュールを記憶するスケジュール管理装置４７を有している。スケジュール管理装置４７には、外部からスケジュールが入力されるようになっている。この例では、８時〜１８時の時間帯に対応する許容開放時間として、通常時許容開放時間が設定され、８時〜１８時以外の時間帯に対応する許容開放時間として、閑散時許容開放時間が設定されるスケジュールをスケジュール管理装置４７が記憶している。
【００３６】
設定時間変更装置４６は、現在時刻と、スケジュール管理装置４７に記憶されているスケジュールとを比較し、現在時刻が含まれる時間帯に対応して、警報装置用制御装置４４に設定されている許容開放時間を通常時許容開放時間と閑散時許容開放時間との間で切り換える。その他の構成は、実施の形態１と同様である。
【００３７】
以上説明したように、この発明の実施の形態２に係る入退室管理装置によれば、時間帯に対応して許容開放時間を切り換えるスケジュールを記憶するスケジュール管理装置４７を備え、設定時間変更装置４６は、現在時刻が含まれる時間帯に対応して、警報装置用制御装置４４に設定される許容開放時間を通常時許容開放時間と閑散時許容開放時間との間で切り換えるので、連続して出入口を通行する通行者の数が少ない夜間の場合には、許容開放時間として閑散時許容開放時間を設定することにより、出入口を通行する通行者に注意を喚起して、出入口が開いたままとなってしまうことを抑制することができ、また、連続して出入口を通行する通行者の数が多い昼間の場合には、許容開放時間として通常時許容開放時間を設定することにより出入口を通行中の通行者に不快感を与えてしまうことを抑制することができる。
【００３８】
実施の形態３．
図５はこの発明の実施の形態３に係る入退室管理装置の要部を示すブロック図である。図において、コントローラ４は、実施の形態１に記載の在室者計数装置４５を有さずに、出入口を通行する通行者の単位時間当りの通行量である通行率を計測する通行率計測装置４８を有している。通行率計測装置４８は、照合装置４１から受信する増加信号および減少信号に基づいて、通行率を計測する。通行率計測装置４８は、通行率を示す通行率情報を設定時間変更装置４６に送信する。
【００３９】
設定時間変更装置４６には、許容開放時間を通常時許容開放時間と閑散時許容開放時間との間で切り換えるための基準となる基準通行率が設定されている。設定時間変更装置４６は、通行率計測装置４８が計測する通行率が基準通行率以上の場合には、警報装置用制御装置４４の許容開放時間として通常時許容開放時間を設定し、通行率計測装置４８が計測する通行率が基準通行率未満の場合には、警報装置用制御装置４４の許容開放時間として閑散時許容開放時間を設定する。その他の構成は、実施の形態１と同様である。なお、コントローラ４は、実施の形態２に記載のスケジュール管理装置４７をさらに有してもよい。
【００４０】
以上説明したように、この発明の実施の形態３に係る入退室管理装置によれば、出入口を通行する通行者の単位時間当りの通行量である通行率を計測する通行率計測装置４８を備え、設定時間変更装置４６は、通行率に対応して、警報装置用制御装置４４に設定されている許容開放時間を通常時許容開放時間と閑散時許容開放時間との間で切り換えるので、通行率が低い場合には、許容開放時間として閑散時許容開放時間を設定することにより、出入口を通行する通行者に注意を喚起して、出入口が開いたままとなってしまうことを抑制することができ、また、通行率が高い場合には、許容開放時間として通常時許容開放時間を設定することにより出入口を通行中の通行者に不快感を与えてしまうことを抑制することができる。
【００４１】
実施の形態４．
図６はこの発明の実施の形態４に係る入退室管理装置の要部を示すブロック図である。図において、コントローラ４は、実施の形態１に記載の在室者計数装置４５を有さずに、入退室管理装置の管理者に操作される設定時間変更操作装置４９を有している。設定時間変更操作装置４９は、操作されることにより、許容開放時間を切り換える切換信号を設定時間変更装置４６に送信する。
【００４２】
設定時間変更装置４６は、設定時間変更操作装置４９の切換信号に従って、警報装置用制御装置４４に設定されている許容開放時間を通常時許容開放時間と閑散時許容開放時間との間で切り換える。その他の構成は、実施の形態１と同様である。なお、コントローラ４は、実施の形態２に記載のスケジュール管理装置４７や実施の形態３に記載の通行率計測装置４８をさらに有してもよい。
【００４３】
以上説明したように、この発明の実施の形態４に係る入退室管理装置によれば、操作されることにより、許容開放時間を切り換える切換信号を設定時間変更装置に送信する設定時間変更操作装置４９を有し、設定時間変更装置４６は、切換信号に対応して、警報装置用制御装置４４に設定されている許容開放時間を通常時許容開放時間と閑散時許容開放時間との間で切り換えるので、連続して出入口を通行する通行者の数が少ない場合には、許容開放時間として閑散時許容開放時間を設定することにより、出入口を通行する通行者に注意を喚起して、出入口が開いたままとなってしまうことを抑制することができ、また、連続して出入口を通行する通行者の数が多い場合には、許容開放時間として通常時許容開放時間を設定することにより出入口を通行中の通行者に不快感を与えてしまうことを抑制することができる。
【００４４】
なお、各上記実施の形態では、開状態検出装置３２が電気錠３を構成する例について説明したが、開状態検出装置３２は、電気錠３とは別体に設けられてもよい。
【００４５】
また、各上記実施の形態では、第１の許容開放時間を通常時許容開放時間とし、第１の許容開放時間よりも短い第２の許容開放時間を閑散時許容開放時間とする構成について説明したが、第２の許容開放時間を通常時許容開放時間とし、第１の許容開放時間を通常時許容開放時間よりも長い延長許容開放時間とする構成であってもよい。この場合、例えば、出入口付近に操作釦が設置され、この操作釦が押された場合にのみ、許容開放時間に延長許容開放時間を設定するようにしてもよい。また、操作釦の操作に限らず、暗証番号など特定の情報を入力することができる操作装置が設置され、特定の情報を知る管理者や責任者などの特定の人員のみがこの操作装置を操作することができるようにして、操作装置が操作された場合にのみ、許容開放時間に延長許容開放時間を設定するようにしてもよい。
【符号の説明】
【００４６】
１  入室用カードリーダ、２  退室用カードリーダ、３  電気錠、４  コントローラ、５  中央管理装置、１１  認証情報読取装置、１２  警報装置本体、２１  認証情報読取装置、２２  警報装置本体、３１  電気錠本体、３２  開状態検出装置、４１  照合装置、４２  電気錠制御装置、４３  計時装置、４４  警報装置用制御装置、４５  在室者計数装置、４６  設定時間変更装置、４７  スケジュール管理装置、４８  通効率計測装置、４９  設定時間変更操作装置。
【図１】
2013221311.tif 000003
【図２】
2013221311.tif 000004
【図３】
2013221311.tif 000005
【図４】
2013221311.tif 000006
【図５】
2013221311.tif 000007
【図６】
2013221311.tif 000008